(57)【要約】  本発明は飲料タンク用抜き弁に関する。抜き弁は、その中に入口から出口まで延在するチャネルを備える管状体、ステム及びヘッドを備えるプランジャ部材であって、ヘッドが入口の方向に向けて配置され、ステムがヘッドからチャネルを通って出口に伸長するプランジャ部材、及びばね部材を備える。通過方向から見ると、チャネルが内側の狭窄部で第１の内側断面から第２の内側断面へと細くなり、狭窄部がヘッドの下側用の出口端に面する座部を形成する。ばね部材は、一方で管状体を、及び、他方でプランジャを偏倚させるように作用してヘッドの下側を座部に押し付ける。座部及びヘッドの下側は、ばね部材の偏倚の影響を受けて互いに接触するように位置付けられた場合にチャネルの封口部を形成するように形成される。本発明はさらにこのタイプの抜き弁が設けられた飲料タンクに関する。
2009515790.tif 000002
【特許請求の範囲】
【請求項１】
飲料タンク（２）用抜き弁（１）であって、
・入口端（４）から出口端（５）まで延在するチャネル（６）を中に備える管状体（３）と、
・ステム（８）及びヘッド（９）を備えるプランジャ（７）であって、前記ヘッド（９）が前記入口端（４）の方向に向けて配置され、前記ステム（８）が前記ヘッド（９）から前記チャネル（６）を通って前記出口端（５）の方向に伸長するプランジャ（７）と、
・ばね部材（１０）とを備え、
通過方向から見ると、前記チャネル（６）が内側の狭窄部（１１）で第１の内側断面（Ｄ１）から第２の内側断面（Ｄ２）へと細くなり、
前記内側の狭窄部（１１）が、前記ヘッド（９）の、前記出口端（５）に対向する下側（１３）用の座部（１２）を形成し、
前記プランジャ（７）が、前記ヘッド（９）の前記下側が前記座部（１２）上で担持される閉位置と、前記ヘッド（９）の前記下側（１３）が前記座部（１２）の上方に離れて配置される開位置との間で前後に可動であり、
前記ばね部材（１０）が、一方で前記管状体（３）を、及び、他方で前記プランジャ（７）を偏倚させるように作用して、前記プランジャ（７）を前記閉位置に偏倚させ、
前記座部（１２）と前記ヘッド（９）の前記下側（１３）とが、前記ばね部材（１０）の偏倚の影響を受けて互いに接触するように位置付けられた場合に、前記チャネル（６）の封口部を形成するように形成され、
前記プランジャ（７）の前記ヘッド（９）及び／又は前記管状体（３）が、前記ヘッド（９）が前記座部（１２）の上方に配置されるまで、前記プランジャ（７）を前記出口端（５）から前記管状体（３）内に挿入することができるように形成される、抜き弁（１）。
【請求項２】
プランジャ（７）のヘッド（９）及び／又は管状体（３）が、前記プランジャ（７）を取り外すために、前記プランジャ（７）が前記管状体（３）内において前記ヘッド（９）が座部（１２）の上方にあるように配置された状態から、前記プランジャ（７）を前記管状体（３）の外側下流方向に引くことができるように形成される、請求項１に記載の抜き弁（１）。
【請求項３】
プランジャ（７）のステム（８）が、前記ステム（８）の下流端で管状体の下流部分と変位不可能にインターロックする管部分（１６）を担持し、
前記管状体（３）が、一方の座部（１２）、特に外側の狭窄部（１９）と、他方の前記管部分（１６）及び前記管状体（３）間のインターロック部位との間に管ゾーン（２０）を備え、前記管ゾーン（２０）の壁（２１）が、一方の前記座部（１２）と、他方の前記管部分（１６）及び前記管状体（３）間のインターロックの部位との間の軸方向の距離が短縮された場合に、前記壁によって前記管ゾーン（２０）の軸方向の短縮が可能になるように形成される、請求項１又は２のいずれかに記載の抜き弁。
【請求項４】
飲料タンク（２）用抜き弁（１）であって、
・入口端（４）から出口端（５）まで延在するチャネル（６）を中に備える管状体（３）と、
・ステム（８）及びヘッド（９）を備えるプランジャ（７）であって、前記ヘッド（９）が前記入口端（４）の方向に向けて配置され、前記ステム（８）が前記ヘッド（９）から前記チャネル（６）を通って前記出口端（５）の方向に伸長するプランジャ（７）と、
・ばね部材（１０）とを備え、
通過方向から見ると、前記チャネル（６）が内側の狭窄部（１１）で第１の内側断面（Ｄ１）から第２の内側断面（Ｄ２）へと細くなり、
前記内側の狭窄部（１１）が、前記ヘッド（９）の、前記出口端（５）に対向する下側（１３）用の座部（１２）を形成し、
前記プランジャ（７）が、前記ヘッド（９）の前記下側が前記座部（１２）上で担持される閉位置と、前記ヘッド（９）の前記下側（１３）が前記座部（１２）の上方に離れて配置される開位置との間で前後に可動であり、
前記ばね部材（１０）が、一方で前記管状体（３）を、及び、他方で前記プランジャ（７）を偏倚させるように作用して、前記プランジャ（７）を前記閉位置に偏倚させ、
前記座部（１２）と前記ヘッド（９）の前記下側（１３）とが、前記ばね部材（１０）の偏倚の影響を受けて互いに接触するように位置付けられた場合に、前記チャネル（６）の封口部を形成するように形成され、
前記プランジャ（７）の前記ステム（８）が、前記ステム（８）の下流端で前記管状体の下流部分と変位不可能にインターロックする管部分（１６）を担持し、
前記管状体（３）が、一方の座部（１２）、特に外側の狭窄部（１９）と、他方の前記管部分（１６）及び前記管状体（３）間のインターロック部位との間に管ゾーン（２０）を備え、前記管ゾーン（２０）の壁（２１）が、一方の前記座部（１２）と、他方の前記管部分（１６）及び前記管状体（３）間のインターロックの部位との間の軸方向の距離が短縮された場合に、前記壁によって前記管ゾーン（２０）の軸方向の短縮が可能になるように形成される、抜き弁（１）。
【請求項５】
管ゾーン（２０）がアコーディオン式に形成される、請求項３又は４に記載の抜き弁。
【請求項６】
前記管ゾーン（２０）が周方向のひだ（２２）を有するように予め形成され、前記周方向のひだ（２２）に沿って管状体（３）の壁が外側に屈曲する、請求項３〜５のいずれかに記載の抜き弁（１）。
【請求項７】
ばね部材がコイルばね（１０）、特に円筒形のコイルばね（１０）であり、
前記コイルばね（１０）と管状体（３）が互いに同心状に伸長し、
前記コイルばね（１０）が前記管状体（３）の外側に設けられる、請求項１〜６のいずれかに記載の抜き弁（１）。
【請求項８】
管状体（３）が、座部（１２）の下流かつチャネル（６）の進行方向に、外側の狭窄部（１９）で第２の外側断面（Ｄ４）へと細くなる第１の外側断面（Ｄ３）を有し、
前記第１の外側断面（Ｄ３）がコイルばね（１０）の外側断面よりも大きく、前記第２の外側断面（Ｄ４）が前記コイルばねの内側断面よりも小さく、
前記コイルばね（１０）の一端が前記管状体（３）に前記外側の狭窄部（１９）で作用し、
前記コイルばね（１０）の他端が前記プランジャ（７）の下流端に作用する、請求項７に記載の抜き弁（１）。
【請求項９】
管部分（１６）が、出口側端に、半径方向に突出するフランジ（２３）等の少なくとも１つの突起（２３）を備え、前記突起が管状体（３）の外側に配置される、請求項１〜８のいずれかに記載の抜き弁（１）。
【請求項１０】
コイルばね（１０）の他端が前記突起（２３）によってプランジャ（７）に作用する、請求項９に記載の抜き弁（１）。
【請求項１１】
コイルばね（１０）の内径が管部分（１６）の最大外径よりも大きく、前記管部分（１６）を収容できる保持部材（１７）が設けられ、前記保持部材（１７）上でコイルばね（１０）の他端を担持することができ、前記管部分（１６）に少なくとも１つの支持部材（２３）が設けられ、前記支持部材（２３）上で前記保持部材（２３）を前記コイルばね（１０）の処理の影響下で担持することができる、請求項１〜１０のいずれかに記載の抜き弁。
【請求項１２】
プランジャ（７）のステム（８）が、前記プランジャ（７）の下流端で管状体（３）の下流部分に実質的にインターロック式に収容される管部分（１６）を担持する、請求項１〜１１のいずれかに記載の抜き弁（１）。
【請求項１３】
管部分（１０）及び管状体（３）の下流部分が、前記管部分（１６）内の力によって閉鎖される凹部を前記管状体（３）の前記下流部分に形成することができるように構成される、請求項１〜１２のいずれかに記載の抜き弁（１）。
【請求項１４】
管状体の下流部分が弾性的に変形可能なゴム状材料で形成される、請求項１０に記載の抜き弁（１）。
【請求項１５】
管状体（３）の下流部分がプランジャ（７）の管部分（１６）にクランプ固定されるように、前記管状体（３）の前記下流部分の周囲に設けられたクランプ部分（１７）をさらに備える請求項１〜１４のいずれかに記載の抜き弁（１）。
【請求項１６】
管部分（１６）がチャネル（６）の内部とインターロックするための厚くした縁部（１８）を外側に備える、請求項１〜１５のいずれかに記載の抜き弁（１）。
【請求項１７】
プランジャ（７）のヘッド（９）及び管状体（３）が、前記ヘッド（９）が座部（１２）の上方に配置されるまで、前記プランジャ（７）を出口端（５）から前記管状体（３）内に挿入することができるように形成される、請求項１〜１６のいずれかに記載の抜き弁（１）。
【請求項１８】
プランジャ（７）のヘッド（９）及び管状体（３）が、前記プランジャ（７）を取り外すために、前記プランジャ（７）が前記管状体（３）内において前記ヘッド（９）が座部（１２）の上方にあるように配置された状態から、前記プランジャ（７）を前記管状体（３）の外側下流方向に引くことができるように形成される、請求項１７に記載の抜き弁（１）。
【請求項１９】
第１の内側断面（Ｄ１）が、チャネル（６）の横方向から見ると、ヘッド（９）よりも大きく、座部（１２）の前記ヘッド（９）が上昇した場合に、液体が前記ヘッド（９）の周囲を流れて前記チャネル（６）を通る、請求項１〜１８のいずれかに記載の抜き弁（１）。
【請求項２０】
ステム（８）が前記ステム（８）の長さの少なくとも一部上に十字形断面を有する、請求項１〜１９のいずれかに記載の抜き弁（１）。
【請求項２１】
チャネル（６）が座部（１２）の下流に案内ゾーンを有し、前記案内ゾーンは前記ゾーンがステム（８）の十字形断面用の案内部を形成するような内側断面を有し、前記ステム（８）が前記チャネル（６）の長手方向に第２の内側断面（Ｄ２）及び前記案内ゾーンを通って変位可能である、請求項２０に記載の抜き弁（１）。
【請求項２２】
管状体（３）が、前記管状体（３）の壁（２１）を通って伸長する通気路（１４）、及び、座部（１２）の下流のチャネル（６）の口（１５）の開口部を備える、請求項１〜２１のいずれかに記載の抜き弁（１）。
【請求項２３】
通気路（１４）の口（１５）が最大８ｍｍ、好ましくは最大５ｍｍ、例えば３．５ｍｍ、座部（１２）の下流に配置される、請求項２２に記載の抜き弁（１）。
【請求項２４】
チャネル（６）の長手方向かつ下流方向から見ると、口が座部（１２）から管状体の最小内径の最大４０％、好ましくは最大３０％、例えば約１５％離れている、請求項２２に記載の抜き弁（１）。
【請求項２５】
請求項１〜２４のいずれかに記載の抜き弁（１）であって、
・把持部分（２５）と、
・チャネル（６）を通過する液体流が妨げられずにアパーチャ（２６）を通るように、管状体（３）及びプランジャ（７）によって形成されるアセンブリの流出端を収容するアパーチャ（２６）と、
・作動部材（２４）の旋回用の旋回中心線（２８）を画定するピン又はピンレセプタクル等の旋回軸手段（２７）とを有する作動部材（２４）をさらに備え、
前記アパーチャ（２６）及び前記把持部分（２５）が前記作動部材（２４）の長手方向に互いに離れて配置され、
前記アパーチャ（２６）内に、押上げ部材（２９）が上方に移動した場合に前記管状体（３）及び前記プランジャ（７）によって形成されたアセンブリを下から押し上げるように構成された少なくとも１つの押上げ部材（２９）が設けられ、
前記旋回中心線（２８）が、前記長手方向に対して横方向に伸長し、前記把持部分（２５）と前記少なくとも１つの押上げ部材（２９）との間に配置され、前記把持部分（２５）の前記旋回中心線（２８）を周る下方への旋回によって前記少なくとも１つの押上げ部材（２９）が上方に旋回するようになされる、抜き弁（１）。
【請求項２６】
プランジャ（７）のステム（８）がチャネル（６）の出口端（５）内に伸長し、前記ステム（８）の下流端（３０）が流れの方向に先細りになる、請求項１〜２５のいずれかに記載の抜き弁（１）。
【請求項２７】
液面計ガラス（３２）を連結するための、管状体（３）の壁（２１）を通る通路（３１）が設けられ、前記通路（３１）がチャネル（６）内で座部（１２）の上流で開口する、請求項１〜２６のいずれかに記載の抜き弁（１）。
【請求項２８】
管状体（３）の入口端（４）にスクリーン（３３）が設けられる、請求項１〜２７のいずれかに記載の抜き弁（１）。
【請求項２９】
スクリーン（３３）が入口端（４）から、流れの方向に対して斜め逆に伸長する半径方向のアーム（３４）によって形成される、請求項２８に記載の抜き弁（１）。
【請求項３０】
前記アーム（３４）が管状体（３）との一体型ユニットとして形成される、請求項２９に記載の抜き弁（１）。
【請求項３１】
管状体（３）がゴム状材料から作製される、請求項１〜３０のいずれかに記載の抜き弁（１）。
【請求項３２】
管状体（３）の外側、かつ流れの方向から見て座部（１２）の上流に、タンク（２）のベース（３７）内に形成された通路（３８）の縁部（３６）を収容するくびれた環状ゾーン（３５）が設けられる、請求項３１に記載の抜き弁（１）。
【請求項３３】
請求項１〜３２のいずれかに記載の抜き弁（１）が設けられた飲料タンク（２）。
【請求項３４】
飲料タンク（２）に請求項１〜３２のいずれかに記載の抜き弁（１）が設けられた、コーヒー、茶、又はチョコレート飲料等の温かい飲料用の飲料タンク（２）。
【請求項３５】
飲料タンク（２）に請求項１〜３２のいずれかに記載の抜き弁（１）が設けられた、レモネード又はフルーツジュース等の冷たい飲料用の飲料タンク（２）。
【請求項３６】
タンクが断熱、特に真空断熱される、請求項３３〜３５のいずれかに記載の飲料タンク（２）。
【請求項３７】
抜き弁（１）がタンク（２）のベース（３７）に設けられる、請求項３３〜３６のいずれかに記載の飲料タンク（２）。
【発明の詳細な説明】
【技術分野】
【０００１】
本発明は飲料タンク用抜き弁に関する。
【背景技術】
【０００２】
コーヒーや茶など温かい飲み物又はレモネードやフルーツジュース等の冷たい飲み物を一時的に貯蔵し、それをビーカー、マグ、又はカップに小出しに供給するのに使用される飲料タンクは従来技術で一般に知られている。飲料を温かく、又は冷たく保つために、こうした容器は断熱される。断熱は、通常、コルク、ポリスチレンフォームなど断熱材の層によって、又は壁の間の空間が真空状態の二重壁によって行なわれる。容器に飲料を充填できるようにするため、通常、前記容器の上側に開口が設けられる。前記開口を蓋で閉鎖することができ、蓋は、閉鎖状態で蓋の位置の断熱が十分に一様であるように構成される。タンク内に存在する飲料を注ぐには、タンクに充填したときと同じ開口から外に飲料が流れるまで前記タンクを傾けることができる。比較的大きい飲料タンクの場合、このように傾けて注ぐのは実際的ではない。このタイプのタンクではポンプ機構が設けられることが多く、それによって飲料をタンクの外にポンプでくみ出すことができる。前記ポンプ機構は、充填用開口部を閉鎖する蓋に少なくとも部分的に収容されることが多い。このタイプのポンプ機構の多くの例が従来技術に見られる。他の可能性は、タンクの下側に第２の開口を形成し、その開口から飲料をタンクの外に流すことができるようにすることである。次いで前記開口に抜き弁を設け、その抜き弁で飲料の流出量を調整できるようにする。タンクの下側に抜き弁を備えるこのタイプのシステムは、比較的大きいタンクに特に適している。この例には、２リットル以上のタンク、具体的には５〜１０リットルのタンクが含まれる。このタイプの抜き弁の例には、例えばタンクの下側に連結された抜きチャネルが含まれ、その場合はボール弁が設けられる。
【０００３】
飲料タンク用の従来技術で知られた抜き弁はこのタイプに特有の様々な欠点を有する。
【発明の開示】
【０００４】
[発明が解決しようとする課題]
[課題を解決するための手段]
一般に、本発明は飲料タンク用抜き弁を提供する。この抜き弁は、
・入口端から出口端まで延在するチャネルを中に備える管状体、
・ステム及びヘッドを備えるプランジャであって、ヘッドが入口端の方向に向けて配置され、ステムがヘッドからチャネルを通って出口端の方向に伸長するプランジャ、及び
・ばね部材を備え、
通過方向から見ると、チャネルは内側の狭窄部で第１の内側断面から第２の内側断面へと細くなり、
内側の狭窄部はヘッドの、出口端に対向する下側用の座部を形成し、
プランジャは、ヘッドの下側が座部上で担持される閉位置とヘッドの下側が座部の上方に離れて配置される開位置との間で前後に可動であり、
ばね部材は、プランジャを閉位置に偏倚させるために、一方で管本体を、及び、他方でプランジャを偏倚させるように作用し、
座部とヘッドの下側とが、ばね部材の偏倚の影響下で互いに接触するように位置付けられた場合にチャネルの封口部を形成するように形成される。
【０００５】
本発明による抜き弁は、特に、閉鎖状態でチャネルの密閉がはるかに有効に行なわれる点で周知のボール弁にまさる利点を有する。すなわち、ばねが偏倚の影響によってプランジャのヘッドを座部に対して押し付ける。これは、コーヒーの場合によくあるように、座部に沈殿物が形成された場合でも起こる。本発明による抜き弁の他の利点は、弁が開放された場合、すなわちプランジャが座部から持ち上げられた場合に、液体流が全ての閉鎖面（すなわち弁が閉鎖されたときに密閉をもたらす面）に沿って流れる。従って、面上の汚れ及び沈殿物の粒子は弁が開放される度に洗い流される。衛生面に有益な自己洗浄効果が得られる。しかし、周知のボール弁では、例えば閉鎖面が液体流と接触しない。従ってボール弁の場合は、汚れが洗い流されない。ゆえにボール弁は漏れる傾向が高い。一方で抜き弁が閉鎖された場合に有効な密閉を確保し、他方で抜き弁が開放された場合に有効な液体の流れを確保するには、本発明によれば、第１の内側断面がチャネルの横方向から見るとヘッドよりも大きく、それによってヘッドが座部から持ち上げられた場合に、液体がヘッドの周囲を流れてチャネルを通ることができるようになると有利である。
【０００６】
一般に、本発明の目的は飲料タンク用の改良型抜き弁を提供することである。
【０００７】
第１の態様によれば、本発明の目的は、特に管状体内でのプランジャの組立てを含む取付けを簡単にすることである。
【０００８】
この目的は、第１の態様によれば、請求項１により、ヘッドが座部の上方に配置されるまで、プランジャを出口端から管状体内に挿入することができるように、プランジャのヘッド及び／又は管状体を形成することによって達成される。これは、例えば管状体及び／又はプランジャのヘッドを、ゴム状材料など可撓性、コンプライアント、かつ弾性の材料から作成し、又は例えば、プランジャのヘッドを、例えば傘式に折りたたみ可能など、折りたたみ可能に構成することによって達成することができる。従って、とりわけ、管状体が飲料タンクに嵌め込まれた後にプランジャを嵌めることができる。
【０００９】
分解するには、この点で、プランジャのヘッド及び管状体を、プランジャが管状体内においてヘッドが座部の上方にあるように配置された状態から、プランジャを管状体の外側下流方向に引いて、プランジャを取り外すことができるように形成すると有利である。従って、プランジャを取り外し、任意選択で新しいプランジャと交換し、又はプランジャを取り外して洗浄し、再配置することができる。
【００１０】
第２の態様は第１の態様から独立して適用することができるが、第１の態様と組み合わせるとさらに有利である。第２の態様によれば、本発明の目的は、特にプランジャを操作が簡単になるように構成することによって、管状体の壁を通り、管状体によって画定されたチャネル内への挿入を不要にし、又は他の方法で、構成要素を通る液体流がプランジャの操作のためにチャネルと接触するのを回避することである。
【００１１】
この目的は、第２の態様によれば、請求項４により、プランジャのステムが、ステムの下流端で管状体の下流部分と変位不可能にインターロックする管部分を担持する結果、かつ管状体が、一方の座部と、他方の管部分及び管状体間のインターロック部位との間に管ゾーンを備え、管ゾーンの壁が、一方の座部と、他方の管部分及び管状体間のインターロック部位との間の軸方向の距離が短縮された場合に、壁によって管ゾーンの軸方向の短縮が可能になるように形成される結果として達成される。次いで、管状体の下流部分を座部の方向に押し付けることによって、プランジャのヘッドを座部から持ち上げるようにプランジャを簡単に作動させることができる。
【００１２】
一方で十分剛性なプランジャを獲得し、他方で、比較的細いチャネルの場合にプランジャのステムがチャネルを通る液体の流れを過度に妨げないようにするには、本発明によれば、ステムがステムの長さの少なくとも一部上に十字形断面を有すると有利である。このタイプの十字形断面の他の利点は、十字のリブの間の間隙により、弁が開放された場合に、十字のリブの間の前記間隙によってチャネルの液体の流れが常に可能なことである。
【００１３】
チャネル内のプランジャの心合わせを向上させるため、本発明は、チャネルが座部の下流に案内ゾーンを形成し、案内ゾーンが、前記ゾーンがステムの十字形断面用の案内部を形成するような内側断面を有し、ステムがチャネルの長手方向に第２の内側断面及び案内ゾーンを通って変位可能であることを提供する。
【００１４】
本発明の他の実施形態によれば、管状体が、管状体の壁を通って延びる通気路及び座部の下流のチャネルの口の開口部を含むと有利である。外部からの空気が前記通気路によって座部の下流の空間に流れることができる。従って、弁が閉鎖された場合に、空気がプランジャのヘッドの下の空間に入ることができる。それによって、液体の流れを止める可能性がある真空がこの空間内に生成されるのが防止される。タンクから外に出てチャネル内に流れ、プランジャのヘッドを通過した全ての液体が常に確実に抜き弁の外に流れることができるようにするには、本発明によれば、チャネル長手方向かつ下流方向から見ると、口と座部の間の距離が、管状体の第２の断面の直径（又は最小内径の）最大４０％、好ましくは最大３０％であると有利である。前記距離は、例えば径の約１５％でもよい。第２の断面の径が２０ｍｍの場合、通気路の口は座部の１５％、約３ｍｍ下に配置される。前記口と前記座部の間の距離を、実際には、径に関して％ではなく、ｍｍで直接現すこともできる。従って本発明によれば、通気路の口が最大８ｍｍ、好ましくは最大５ｍｍ、座部の下流に配置されると有利である。通気路の口を、例えば３．５ｍｍ、座部の下流に配置することができる。
【００１５】
本発明の他の実施形態によれば、プランジャのステムは、ステムの下流端で管状体の下流部分に実質的にインターロック式に収容される管部分を担持する。このタイプの管部分はステムから延びるアームによってステムに連結される。従って、チャネルを通り抜ける流れは、下流端で可能である一方、プランジャは下流端に常に正確に心合わせされたままである。管部分の管状体内のインターロック受け部も管部分と管状体の間を液体が通過するのを阻止する。
【００１６】
この点で、本発明によれば、管部分が管状体の前記下流部分と変位不可能にインターロックすると有利である。従って、プランジャを簡単に嵌め込むことができ、いずれの場合もプランジャが管状体のチャネルを通って移動できないように阻止される。このタイプの変位不可能なインターロッキングを多様な方法で行なうことができる。例には、管部分と管状体の間の接着剤が含まれる。このタイプの接着剤には、飲料を含む食品の場合、相当数の要件がある。本発明によれば、管部分の力によって閉鎖された凹部が管状体の前記下流部分に形成されるように管部分及び管状体の下流部分を構成することによって、嵌合に関しては非常にシンプルな、使用に関しては非常に信頼性のある変位不可能なインターロッキングを行なうことができる。この場合、管状体の下流部分は特に、弾性的に変形可能なゴム状材料から形成される。それによって、組み立てが容易になり、実際に非常に信頼性の高い締結が行なわれる。追加又は別法として、管状体の前記下流部分がプランジャの管部分にクランプ固定されるように管状体の下流部分の周囲にクランプ部分を設けることによって、変位不可能なインターロッキングを確実に行なうこともできる。このタイプのクランプ部分は、例えば管状体全体の周囲に延びる弾性のばね座金などクランプリングでもよい。しかし、本発明によれば、前記クランプ部分は、非常に有効には、管状体の周囲で摺動されるＵ形状のくぼみを含む摺動部分でもよい。この場合、管状体はクランプ部分で完全に取り囲まれない。以下に記載するように、Ｕ形状の摺動部分も、Ｕ形状部分がクランプ固定されずに管上の突起上に解放状態に配置されても、組立に関して非常に有利である。
【００１７】
この場合、管状体がクランプ部分と管部分の間で解放されるのを防止するには、本発明によれば、管部分がチャネルの内部とインターロックするための厚くした縁部を外側に備え、少なくとも１つのクランプ部分が使用され、前記厚くした縁部がクランプ部分の上流に配置されると有利である。
【００１８】
本発明の他の実施形態では、ばね部材は、コイルばね、特に円筒形コイルばねであり、コイルばね及び管状体は互いに同心に配置され、コイルばねは管状体の外側に設けられる。従って、ばね部材はチャネルの完全に外側に保持され、前記部材はチャネルを通って流れる液体と接触することができない。従って、ばねによる液体の汚染が防止され、沈殿物がばねに付着するのも阻止され、又は汚れの粒子がばねに付着できない。
【００１９】
このタイプのコイルばねの場合、本発明によれば、管状体が、座部の下流かつチャネルの通過方向に外側の狭窄部で第２の外側断面へと縮小する第１の外側断面を有し、第１の外側断面がコイルばねの外側断面よりも大きく、第２の外側断面がコイルばねの内側断面よりも小さく、コイルばねの一端が管状体に第１の外側断面の第２の外側断面への外側の狭窄部で作用し、コイルばねの他端がプランジャの下流端に作用すると有利である。従ってこれは、ばね部材がプランジャを閉鎖状態に偏倚させることができる簡単な方法で行なうことができる。
【００２０】
管部分が管状体と変位不可能にインターロックする抜き弁の場合、好ましくは上記で論じた管状体の外側の狭窄部と併せて、本発明によれば、管状体が、一方の座部、具体的には外側の狭窄部と、他方の管部分及び管状体間のインターロック部位との間に管ゾーンを備え、管ゾーンの壁が、一方の座部と、他方の管部分及び管状体間のインターロックの部位との間の軸方向の距離が短縮された場合に、前記壁によって、例えばアコーディオン式に前記管ゾーンの軸方向の短縮が可能になるように形成されると有利である。従って確実にプランジャが管状体に固定され、管ゾーンの軸方向の短縮によってプランジャのヘッドを座部から持ち上げることができる。その場合、本発明によれば、管ゾーンが周方向のひだを有するように予め形成され、そのひだに沿って管状体の壁が外側に屈曲すると有利である。
【００２１】
他の実施形態によれば、管部分が、出口に面する端部に、管状体の外側に配置された半径方向に突き出たフランジなど少なくとも１つの突起を備えると有利である。このタイプの突起は、プランジャの管状体内への挿入中に停止部として働き、プランジャが有効に機能するために管状体内に十分深く挿入されたかどうかを正確に知ることができるようにする。さらに、このタイプの突起は、プランジャが使用中に管状体内に不慮にさらに深く入るのを防ぐ。
【００２２】
本発明によれば、コイルばねの他端が前述の突き出たフランジなど前記突起によってプランジャに作用する場合も有利である。コイルばねの他端は、この場合、クランプ部分と係合し、クランプ部分は突起を押し付け、それによってコイルばねがプランジャに作用するようにさせる。しかし、コイルばねの他端がクランプ部分と係合する場合、コイルばねは、突起したフランジではなく、より直接的にプランジャの管部分へのクランプ部分のクランプ固定によって、プランジャに作用することもできる。
【００２３】
アセンブリをシンプルにするため、コイルばねの内径が管部分の最大外径よりも大きく、（Ｃ形状を含む）Ｕ形状の支持部分など管部分を収容することができる保持部分が設けられ、その保持部分上でコイルばねを担持することができ、管部分に少なくとも１つの支持部材が設けられて、保持部分をコイルばねの処理の影響下で支持部材上で担持することができると有利である。この場合、少なくとも１つの支持部材は管部分の外周に環状の溝を含むこともできるが、少なくとも１つの支持部材は突き出たフランジなど上述の突起でもよく、Ｕ形状支持部分を担持することができる。Ｕ形状部分は、例えば上述のクランプ部分でもよく、上記のように、この点でクランプ固定されなくてもよく、（突起など）少なくとも１つの支持部材上で完全に解放状態で配置されてもよい。組立の利点は、先ず管部分をばねに頼る必要なく管状体の下流端に締結し、次いでコイルばねがまだ配置されていない場合はコイルばねを管状体の周囲に配置し、次いでばねを幾分圧縮して偏倚力を得ることができ、Ｕ形状部分をばねと支持部材の間に配置し、その後ばねを解放することができることである。
【００２４】
本発明による抜き弁を多数の方法で作動させることができる。例えば、カップの縁部をプランジャの下方端又はプランジャの下方端に形成されたリップに押し付けることによって、プランジャが幾分上方に押し上げられることが考えられる。操作をさらに簡単にするには、本発明による抜き弁はさらに作動部材を備える。作動部材は、
・把持部分、
・チャネルを通過する液体が妨げられずにアパーチャを通るように、管状体及びプランジャによって形成されるアセンブリの流出端を収容するためのアパーチャ、及び
・作動部材の旋回用の旋回中心線を画定するピン又はピンレセプタクルなど旋回軸手段を有し、
アパーチャ及び把持部分は作動部材の長手方向に互いに離れて配置され、
アパーチャ内に、押上げ部材が上方に移動すると管状体及びプランジャで形成されたアセンブリが下から押し上げられるように構成された少なくとも１つの押上げ部材が設けられ、
旋回中心線は、長手方向に対して横方向に延び、把持部分と少なくとも１つの押上げ部材の間に配置され、把持部分の旋回中心線を周る下方への旋回によって少なくとも１つの押上げ部材が上方に旋回される。
【００２５】
把持部分を手で下方に押すことによって、プランジャが幾分持ち上げられ、それによって飲料が抜き弁を通って流れることができるようになる。
【００２６】
組立てを含め、取付けをシンプルにするために、本発明によれば、ヘッドが座部の上方に配置されるまで、プランジャを出口端から管状体内に挿入することができるように、プランジャのヘッド及び／又は管状体が形成されると有利である。分解するには、この点で、プランジャのヘッド及び管状体を、プランジャが管状体内においてヘッドが座部の上方にあるように配置された状態から、プランジャを管状体の外側下流方向に引いて、プランジャを取り外すことができるように形成すると有利である。従って、プランジャを取り外し、任意選択で新しいプランジャと交換し、又はプランジャを取り外して洗浄し、再配置することができる。
【００２７】
液体、すなわち飲料の抜き弁の外への安定した噴流を提供するには、本発明によれば、プランジャのステムがチャネルの出口端内に延び、プランジャの下流端が流れの方向に先細りになされると有利である。従って、プランジャの下流端は、液体の安定した噴流を生成するために使用される。こうするとその後の滴下も実質的に低減される。
【００２８】
抜き弁の他の有利な実施形態によれば、液面計ガラスを連結するための管状体の壁を通る通路が設けられ、通路がチャネル内で座部の上流で開口する。従って、周知の液面計ガラスをタンクの実質的に最下点に連結することができる。
【００２９】
飲料に含まれる可能性がある比較的大きい全ての固体粒子又は皮がチャネルに入るのを阻止するには、本発明によれば、管状体の入口にスクリーンが設けられると有利である。このタイプのスクリーンは、有利には、入口端から流れの方向に対して斜めに延びる半径方向のアームによって形成される。この場合、半径方向のアームはいわば直立円錐体を形成し、その頂部を除去しても、除去しなくてもよい。このタイプの半径方向のアームは、流れの方向に対して斜め逆に配置され、障害になる汚物の粒子によって入口が詰まるのが防止される。アームは有利には管状体と一体型ユニットとして形成される。
【００３０】
管状体は、例えば、プラスティック材料から作成される成形品として生産することができる。
【００３１】
本発明による管状体は、特に天然ゴム又は人工ゴムなどゴム状材料から作製される。ゴム状材料は、座部に良好な密閉効果をもたらし、管状チャネルの軸方向の短縮を可能にする十分な可撓性を容易に固有に有し、プランジャのヘッドを嵌合又は除去するために第２の断面を通るように押し込むことができるようにする十分な可撓性を簡単に提供することができる利点を有する。
【００３２】
この点で、本発明によれば、管状体の外側に流れの方向で見て座部の上流にタンクのベース内に形成された通路の縁部を収容するためのくびれた環状ゾーンが設けられる場合も有利である。このタイプのゴム状材料は、タンクのベース内の通路内に簡単に挿入することができ、くびれた環状ゾーンが前記縁部を収容する。ゴム状材料の弾性効果によって、この点で、くびれた環状ゾーンとタンクのベースの通路の縁部の間に有効な密閉が行なわれる。
【００３３】
他の態様によれば、本発明は、本発明による抜き弁が設けられた飲料タンクに関する。
【００３４】
本発明は、これに関して、特にコーヒー、茶、又はチョコレート飲料など温かい飲料用の飲料タンクも包含し、この飲料タンクには本発明による抜き弁が設けられる。
【００３５】
本発明は、これに関して、レモネード、果汁など冷たい飲料用の飲料タンクも包含し、この飲料タンクには本発明による抜き弁が設けられる。
【００３６】
本発明による飲料タンクは有利には断熱され、特に真空断熱される。
【００３７】
本発明による飲料タンクには、本発明による抜き弁が、特にタンクのベースに設けられる。
【００３８】
本発明を図面で示した例示の実施形態を参照して以下でより詳細に説明する。
【発明を実施するための最良の形態】
【００３９】
図１は、カップ、マグなどを配置するための配置領域４１、及びその上方のコーヒーなど飲料用の真空断熱されたタンク２を備える飲料ディスペンサ４０を概略的に示す図である。充填用蓋４２が上側に設けられる。タンク２に充填するために蓋４２のねじを外し、その後に再びねじを締めることができる。
【００４０】
下部に作動部材の把持部分２５を有する従来技術で周知の液面計ガラス３２が前部に見える場合がある。本発明による抜き弁はタンク２の下側に嵌合されており、前記作動部材を使用して作動させることができる。前記抜き弁は、図２、３、及び４により詳細に示されている。
【００４１】
これに関し、図２は断面図、図３は分解図、図４は図３の矢印ＩＶ−ＩＶで示した線に沿って切り取られた断面図であり、抜き弁自体は省略されている。
【００４２】
抜き弁は、その最も重要な構成要素として、管状体３、プランジャ７、及びばね部材１０を備える。
【００４３】
管状体３はその中に、タンク２の内部に面する入口端４から出口端５まで延在するチャネル６を有する。
【００４４】
プランジャはステム８及びヘッド９を有し、この場合は特にその形態がきのこ形状である。ヘッド９は入口端に向けて方向付けられ、ステム８はヘッド９からチャネル６を通って出口端５の方向に伸長する。
【００４５】
管状体３内のチャネル６は内側の狭窄部１１を有し、その位置で第１の内側断面Ｄ１から第２の内側断面Ｄ２へと縮小が生じる。内側の狭窄部１１はこの点でプランジャ７のヘッド９の出口端５に面する下側１３用の座部１２を形成する。
【００４６】
ばね部材１０は、図２で示した抜き弁の閉鎖状態で偏倚される。ばね１０は、一方で管状体３上に作用する。ばね１０は、下側で、管状体３の外側の狭窄部１９に接触するように設置される。ばね１０は他方でプランジャ７に作用する。この作用は中間構成要素１７によって、プランジャのステム８によって担持される管部分１６上の半径方向のフランジ２３によって行なわれる。従ってばね部材１０は、確実にヘッド９の下側１３が座部１２上に押し付けられて、チャネルの封口部が形成されるようにする。プランジャ７を上方に幾分移動させると、ヘッド９が座部１２から自由になり、液体がヘッド９に沿って流れ、第２の内側断面Ｄ２を通過して抜き弁の出口に流れることができるようになる。
【００４７】
図で示し以下に詳細に論じるものとは異なり、プランジャ７は管状体３によって担持され、又は案内されなくてもよい。プランジャ７を作動部材２４上で容易に担持し、作動部材２４で案内することができる。プランジャ７を飲料ディスペンサ４０のフレームの他の構成要素上で支持し案内することも全く可能である。
【００４８】
抜き弁が開放された場合に、飲料が確実にプランジャのヘッドに沿って容易に通ることができるようにするため、図２で見ることができるように、内側断面Ｄ１はヘッド９の断面よりも大きい。従って液体は、ヘッド９が座部１２から持ち上げられた場合に、ヘッド９の周囲を容易に通過することができる。
【００４９】
プランジャのステム８は、半径方向に突き出たウェブ４４が存在するような断面の十字形である。十字形の断面は、液体の通路を過度に縮小せずに、ステムの頑丈さを向上させる。ステムの頑丈さは、プランジャの嵌合及び除去中にステムに加わる力に対抗するために重要である。この実施形態には適用されていないが、本発明は、チャネルが座部の下流で少なくとも局所的に例えば径Ｄ２を有する部分でステムの案内部を形成するような寸法を有するチャネル及びステムの十字形断面も提供する。その場合、ステムは径Ｄ２を有する前記部分に遊びなしで、又はほぼ遊びなしで嵌合されることが好ましい。
【００５０】
図２は通気路１４も示している。前記通気路１４は、管状体３の壁２１を通って伸長し、チャネル６内の口１５を有する。前記口１５は、座部１２の下流のヘッド９のすぐ下に配置される。通気路１４と座部１２の間の距離は約３ｍｍであることを示唆する。それによって、抜き弁が閉鎖状態の場合に、チャネル６のヘッド９の下流の部分で真空効果の影響によって液体の流れが止められないようにする。
【００５１】
プランジャ７のステム８はその下流端で半径方向のウェブによって管部分１６を担持する。前記管部分１６は管状体３の出口端に実質的にインターロック式に嵌合する。管部分１６は管状体３の下流部分に変位不可能に収容される。これは、管部分１６が管状体内にしっかり嵌合されるように管状体３の先端及び管部分１６を構成することによって行なうことができる。確実に相互密閉され、管部分１６がばね１０によって管状体の外に不慮に押し出されないように、十分しっかり相互にクランプ固定しなければならない。所望の場合は、管状体の管部分へのクランプ固定も行なわれ、又はこの場合クランプ部分として示されているＵ形状部分１７によって追加の助けとすることもできる。クランプ部分１７はＵ形状のくぼみを有し、それによって管部分１６が管状体３内に挿入された後に管状体３の下流部分上で横方向に摺動することができる。管部分１６の管状体３の下流部分のつかみ及び締結を向上させるため、管部分１６のＵ形状部分１７のすぐ上に厚くした縁部１８が設けられる。この縁部１８はクランプ部分として機能してもしなくてもよい。明らかなように、管状体３の下流部分の管部分１６への相互締結を異なる方法で行なうこともできる。
【００５２】
管部分１６に、図で示した半径方向に突き出た円周フランジ２３など少なくとも１つの半径方向の突起を設けることもできる。前記突起２３は、互いに実質的に独立し、同時に提供／使用しなくてもよい幾つかの機能を有する。管部分１６の管状体３内への挿入中に、突起２３は停止部を提供する働きをし、組立て中に管部分が管状体３内に十分深く挿入されたかどうかを確かめることができるようにする。突起２３はさらに、厚くした縁部１８と共にＵ形状部分１７を軸方向に取り囲むものである。突起２３はＵ形状部分１７の支持面も形成し、それによってばね部材１０の偏倚力をプランジャ７に伝達することができる。
【００５３】
この実施形態では、Ｕ形状部分はクランプ部分ほど重要ではない。Ｕ形状部分はクランプ機能を全く持たなくてもよい。Ｕ形状部分は、抜き栓を組み立てる際に特に有用である。Ｕ形状部分によって、管部分１６を先ず管状体に締結してから、ばね１０を引張又は嵌合することができるようになる。ばね１０の径は、管部分１６及びフランジ２３の径よりも幾分大きく、ばねがその上で摺動することができる。次いでばねを圧縮し、Ｕ形状部分を位置付ける。Ｕ形状部分に、ばねを心合わせするための中央の厚い部分及びフランジ２３上で心合わせするための中央のくぼみが設けられる。Ｕ形状部分１７を、管状体３にクランプ係合させずに、フランジ２３上に完全に緩めた状態で配置することができる。次いでばねの全力がフランジ２３によって管部分１６に伝達される。
【００５４】
管状体３は管ゾーン２０を有する。管ゾーン２０の壁は、前記管ゾーンが軸方向に圧縮された場合に前記管ゾーン２０の軸方向の短縮が可能になるように形成される。軸方向の短縮可能な前記管ゾーン２０は、一方の座部１２と、もう一方の管部分１６が管状体３とインターロックされる位置との間に配置される。従って、これは、抜き弁を単一ユニットとしてタンク２に嵌合することができ、又はタンクから取り外すことができることによって行なわれる。プランジャ７は管状体３自体によって担持されるため、プランジャ７を飲料ディスペンサのフレームの他の構成要素で担持する必要がない。プランジャのヘッドの座部１２に対する移動は、軸方向に短縮が可能な管ゾーンによって可能になる。
【００５５】
軸方向に短縮可能な管ゾーンは、多数の方法で作製することができる。前記管ゾーンが薄い壁のゴム状材料から作製することができ、又は適切な場合は管状体３全体をゴム状材料から作成することができ、前記軸方向の短縮を独自に行なうことができる。軸方向に短縮可能な管ゾーンを周方向のひだ２２を有するように予め形成し、それに沿って管状体３の壁が前記ゾーンで外側に屈曲するようにした場合、軸方向の短縮をより有効に制御された方法で行なうことができる。管状体３の下端に締結されたプランジャが（これに関してフランジ２３を管状体３の出口端用の停止部として使用することができる）確実に管状体内に十分深く挿入されることによって、弁の閉鎖状態でも、ひだを維持することができるようになる。結局、プランジャのヘッドは座部１２上に担持され、従って、ばね部材１０がプランジャを下方に過度に深く押し込むのを阻止し、それによって短縮可能な管ゾーンの壁が伸張される。
【００５６】
軸方向に短縮可能な管ゾーンを、とりわけ、アコーディオン式に構成することもできる。
【００５７】
ばね部材自体を多数の方法で構成することができる。しかし本発明によれば、単純な円筒形コイルばねをこの目的で使用すると有利である。管状体３の座部１２の下流に第１の外側断面Ｄ３から第２の外側断面Ｄ４への外部の狭窄部を設けることによって、簡単な方法で円筒形コイルばねを設置するのに適した部位が作成される。円筒形コイルばね１０の下側をＵ形状部分１７上で担持することができ、Ｕ形状部分１７が存在しない場合は、フランジ２３又はこの目的でプランジャ７上に設けられた他の突起上で担持することができる。図で示した実施形態では、コイルばねはチャネルの完全に外部に配置される。これはシステムの衛生及び清浄に有益である。図で示した実施形態では、抜き栓を通って流れる液体は管状体３及びプランジャ７にしか接触しない。
【００５８】
本発明による抜き弁は、それ自体、開放プロセスの多数の方法で作動させることができる。これは、特別の作動部材を全く用意せずに行なうことができる。充填すべきカップの縁部を使用して、例えばフランジ２３に接触するカップの縁部又は管部分１６の下縁を位置付けることによって、プランジャを単に持ち上げることができるだけでよい。しかし、作動を非常に簡単にする目的で、別個の作動部材を設けることが好ましい。
【００５９】
図で示した実施形態では、図３の斜視図で別個に示した作動部材は、一端に把持部分２５を有し、把持部分２５から長手方向に離れたところに管状体３及びプランジャ７によって形成されるアセンブリの流出端を受け止めるためのアパーチャ２６を有する実質的に板状本体からなる。前記アパーチャ２６は、チャネル６を通過する液体の流れが前記アパーチャ２６によって妨げられないように、すなわち液体の流れが前記アパーチャ２６を自由に通過することができるように構成される。アパーチャには２つの対向する押し上げ部材２９が設けられる。前記押し上げ部材２９は、組み立てた状態で、プランジャのフランジ２３の下側に接触するように配置される。作動部材２４にはさらに、共通の旋回中心線２８と同一線上に配置された２つのピン２７が設けられる。前記旋回中心線２８に対して横方向に延びる長手方向である作動部材の長手方向Ｌから見ると、ピン２７は、一方の押し上げ部材２９とプランジャの間の接触面と他方の把持部分２５との間に配置される。従って、把持部分２５が旋回中心線２８の周りで下方に旋回すると、押し上げ部材２９の接触面が上方に旋回されて、プランジャ７が上方に押し上げられ、プランジャ７のヘッド９が座部１２から解放される。ピン２７を押し上げ部材２９の接触面ではなく、把持部分２５から取り外すこともできることに留意されたい。その場合、把持部分２５を上方に旋回して、押し上げ部材２９を上方に移動させ、ヘッド９を座部１２から持ち上げなければならない。これは、操作を容易にする観点からあまり好ましくない。
【００６０】
図３及び４を参照すると、飲料ディスペンサのフレームにピン２７を配置するための２点３９が設けられているのを見ることができる。前記配置点３９は実質的に把持部分２５の方向に開放された溝である。従って、作動部材２４を溝３９内に摺動することによって、簡単な方法で作動部材を嵌めることができる。ピン２７が前記溝３９から外れるのを阻止するために、２本の脚６４を備えるさらなる保持部材４３が追加で設けられる。脚６４にはばねが設けられても設けられなくてもよく、やはりピン２７を定位置に保持するために溝３９内に挿入される。
【００６１】
図２及び３を参照すると、管状体３に座部１２の上流に開口した通路３１が設けられているのを見ることもできる。周知の液面計ガラス３２用の弁ボス（valve boss）を前記通路３１内に挿入することができる。
【００６２】
具体的には図２及び３に戻ると、管状体３の入口４に半径方向に斜めに突き出たフィンガ３４の形態のスクリーン３３が設けられているのを見ることもできる。前記フィンガは汚れ又は皮の比較的大きい粒子が抜き弁に入ることができないようにする。アーム３４が斜めに突き上がることによって、このタイプの汚れの比較的大きい粒子がアーム３４を概ね横方向に塞ぐのが阻止され、上方から通過されるスクリーン３３の能力をより長い間保つことができるようになる。
【００６３】
プランジャのヘッド９をきのこ形状に構成することにより、管状体をゴム状材料から作成することと併せて、プランジャ７を管状体３内に出口端から流れの方向（矢印Ｆ）に反対の方向に挿入することができるようになる。ヘッド９のきのこ形状によって、ヘッド９がヘッド９よりも小さい通路Ｄ２を通過することができるようになる。前記きのこ形状により、管状体３を流れの方向（矢印Ｆ）に下流に引っ張ることによって、プランジャを管状体３から取り外すこともできるようになる。こうした態様は、本発明による抜き弁を洗浄する場合に有用であり、例えばプランジャの交換など他の形の保守にも有用である。
【００６４】
具体的には図２で見ることができるように、管状体３の入口４の付近にくびれゾーン３５が設けられ、縁部３６がタンク２の通路３８及びベース３７の周囲に受けられる。管状体３をゴム状材料から作成することによって、簡単な方法で、かつ他の手段なしで、抜き弁及びタンクのベースの有効な密閉が行なわれる。管状体３をベースから取り外し、必要に応じて抜き弁全体を交換するため管状体３を再配置することもできる。
【００６５】
管状体及びプランジャとは別に、抜き弁の他の部分が飲料手段と接触しないため、衛生などに関連する問題がこの２つの部分に限定される。ばね及び保持部分（１７）以外の残りの部分では、材料及び形状の選択を単に機能によって決定することができ、食物の安全性に関する形状及び材料の規制を無視することができる。
【００６６】
さらに、前記抜き弁は実際に飲料タンクの壁に取り付けられ、独立型ユニットとして飲料タンクから分離していないため、一般にコーヒー容器の構造をかなり複雑にする供給又は排出パイプが不要である。それによって、嵌合及び取外しが簡単であり、ユニットの保守も簡単である。
【図面の簡単な説明】
【００６７】
【図１】本発明による抜き弁が設けられた本発明による飲料タンクを示す斜視図である。
【図２】図１の詳細図として本発明による抜き弁を示す断面図である。
【図３】本発明による抜き弁を示す分解図である。
【図４】図１、２、及び３で示した抜き弁の作動部材の懸架の幾つかの詳細を示す詳細断面図である。
【図１】
2009515790.tif 000003
【図２】
2009515790.tif 000004
【図３】
2009515790.tif 000005
【図４】
2009515790.tif 000006
【国際調査報告】
2009515790.tif 000007
2009515790.tif 000008
2009515790.tif 000009
2009515790.tif 000010
2009515790.tif 000011